(57)【要約】【課題】画像表示手段が一つしか備えられていなくとも、容易に一方の人が操作している画像表示手段の画像（画面）を他方の人が同時に見ることができ、画像表示手段が二つ備えられているものより安価でコンパクトなプリント注文受付装置を提供することを課題とする。【解決手段】本発明に係る受付装置は、撮影画像のプリント注文を受け付ける受付装置であって、プリント注文操作画像を表示するための一つの画像表示手段と、該画像表示手段から投影される前記プリント注文操作画像を所定の方向に案内する画像案内手段とを備えることを特徴とする。【選択図】図２
2008051878.tif 000002
【特許請求の範囲】
【請求項１】
撮影画像のプリント注文を受け付ける受付装置であって、プリント注文操作画像を表示するための一つの画像表示手段と、該画像表示手段から投影される前記プリント注文操作画像を所定の方向に案内する画像案内手段とを備えることを特徴とするプリント注文受付装置。
【請求項２】
前記画像案内手段は、前記画像表示手段から投影される前記プリント注文操作画像を二方向に振り分けて案内する請求項１に記載のプリント注文受付装置。
【請求項３】
前記画像案内手段は、ハーフミラーで構成される請求項２に記載のプリント注文受付装置。
【請求項４】
少なくとも一つのタッチパネルをさらに備え、前記画像表示手段から投影されるプリント注文操作画像が前記タッチパネルを介して表示される請求項１乃至３の何れか一項に記載のプリント注文受付装置。
【発明の詳細な説明】
【技術分野】
【０００１】
本発明は、メモリーカードやＣＤ−Ｒ等の各種メディア（記録媒体）に記録されている撮影画像データを取得して表示し、該表示された画像データに基づく撮影画像のプリント注文を受け付けるプリント注文受付装置に関する。
【背景技術】
【０００２】
近年、パーソナルコンピュータ（ＰＣ）やＰＤＡ（Personal Digital Assistance)等の普及に伴い、デジタルカメラの普及率が拡大している。さらに、高性能な撮影機能を有する携帯電話も普及している。
【０００３】
これらデジタルカメラ等で撮影された画像（以下、単に「撮影画像」と言うことがある。）は、通常、撮影画像データとしてＰＣ等に取り込まれて処理され、ホームページや年賀状等の各種用途に使用される。しかし、デジタルカメラ等で撮影した画像を高品位な（写真）プリントとして残したいという要望も多い。これに対応して、近年では、ＤＰＥ（Development Printing Enlargement)店やラボ店等の専門の業者（プリント業者）によって、デジタルカメラ等で撮影された撮影画像データからのプリント作成が行われている。
【０００４】
デジタルカメラ等で撮影した画像のプリント作成をプリント業者に注文する場合には、例えば、ＤＰＥ店やラボ店の店舗内や店頭、各種商業施設内等に設置されるプリント注文受付装置（以下、単に「受付装置」と言うことがある。）を用いて行われる。
【０００５】
受付装置は、通常、撮影画像（撮影画像データ）を記憶するメモリーカードやＩＣカード、ＣＤ−Ｒ等の記録媒体（メディア）を装填し、或いは、直接若しくは接続手段用いてデジタルカメラや携帯電話等を接続すると、撮影画像を読み取って、注文画面（プリント注文操作画像）と共に画像表示手段（ディスプレイ又は表示部）で表示する（特許文献１，２参照）。
【０００６】
顧客は、タッチパネルとなっている画像表示手段に表示される注文画面に従って、プリント作成する撮影画像、プリントサイズ、撮影画像毎のプリント枚数などの注文情報を入力する。注文が確定して、出力指示が出されると、撮影画像と注文情報とが対応付けされて、例えばＤＰＥ店やラボ店等のサーバや画像処理装置に送られ、ここからデジタルのフォトプリンタに撮影画像が供給されて、注文情報に応じたプリントが作成、出力される。
【特許文献１】特開２００３−７８６８３号公報
【特許文献２】特開２００６−１８９５４２号公報
【発明の開示】
【発明が解決しようとする課題】
【０００７】
ところで、このような受付装置は、顧客自らが操作してプリント注文を行うことから、通常、各種記録媒体から取得した撮影画像を表示するための画像表示手段が一つしか備えられていない。そのため、顧客がプリント注文のための受付装置の操作方法が分からず店員等の説明等を受けながら操作する場合には、店員等が顧客の側に立って一つの画像表示手段を顧客と一緒に見ながら説明又は指示若しくは操作を行わなければならない。
【０００８】
しかし、撮影画像やプリント注文操作画像を表示するための画像表示手段は、一人で操作を行うことを前提にした大きさ等の設定が行われているため、画像表示手段に表示されるプリント注文操作画像を二人で同時に見ながらプリント注文のための操作を行うのは煩雑である。
【０００９】
そのため、一方の画像表示手段を顧客が使用し、他方の画像表示手段を店員等がカウンター内側で必要な時に使用できるよう、画像表示手段を二つ備えた受付装置も考えられるが、このような受付装置は、画像表示手段が二つ備わるために画像表示手段が増えた分だけ価格も高価となり、また、画像表示手段が多い分、広い設置スペース（設置場所）も必要になるといった問題が生じる。
【００１０】
また、図８に示すように、受付装置５０は、ＤＰＥ店等の店舗内のカウンター１００上に設置される場合がある。その場合、前述のようにプリント注文のための操作が分からない時には、顧客は、店員等の説明を受けながらプリント注文の為の操作を行うことになるが、前述のように画像表示手段が一つしかないため、店員等は、カウンター１００内側から身を乗り出して前記画像表示手段をのぞき込んだり、カウンター１００内側から外側に出て、操作を行っている顧客の側に立って説明又は指示若しくは操作を行わなければならない。そのため、店員等は、無理な姿勢での説明又は指示若しくは操作を行わなければならず、また、説明又は指示若しくは操作の為にカウンター１００外側に出なければならないため、無駄な労力や時間が増加するといった問題が生じた。
【００１１】
そこで、本発明は、上記問題点に鑑み、画像表示手段が一つしか備えられていなくとも、容易に一方の人が操作している画像表示手段の画像（画面）を他方の人が同時に見ることができ、画像表示手段が二つ備えられているものより安価でコンパクトなプリント注文受付装置を提供することを課題とする。
【課題を解決するための手段】
【００１２】
そこで、上記課題を解消すべく、本発明に係るプリンタ注文受付装置は、撮影画像のプリント注文を受け付ける受付装置であって、プリント注文操作画像を表示するための一つの画像表示手段と、該画像表示手段から投影される前記プリント注文操作画像を所定の方向に案内する画像案内手段とを備えることを特徴とする。
【００１３】
かかる構成によれば、画像表示手段から投影されるプリント注文操作画像が画像案内手段によって所定の方向に案内されるため、画像表示手段からプリント注文操作画像を直接見る人（例えば、顧客）と、前記案内されるプリント注文操作画像を見る人（例えば、店員）とに分かれることで、容易に一方の人が見ている画像表示手段に表示されているプリント注文操作画像を他方の人が同時に見ることができる。
【００１４】
また、画像案内手段によって案内されるプリント注文操作画像は、一人で見ることを前提に大きさ等が設定されていないため、画像表示手段を直接見なくても、容易に二人以上で案内された前記プリント注文操作画像を同時に見ることができる。
【００１５】
また、前記画像案内手段は、前記画像表示手段から投影される前記プリント注文操作画像を二方向に振り分けて案内する構成であってもよい。
【００１６】
かかる構成によれば、画像表示手段から投影されるプリント注文操作画像が画像案内手段によって二方向に振り分けられて案内されることから、振り分けられた各プリント注文操作画像をそれぞれ見ることによって、容易に二人（例えば、顧客と店員）で同時に同一画像を見ることができる。
【００１７】
また、画像表示手段が一つしか備えられていないことから、画像表示手段を二つ以上備えたプリント注文受付装置よりも、画像表示手段が少ない分だけコストを抑制することができる。即ち、安価なプリント注文受付装置を得ることができる。
【００１８】
さらに、画像表示手段が一つしか備えられていないことから、画像表示手段を複数備えるプリント注文受付装置に比べ、画像表示手段が少ない分だけ装置全体のコンパクト化を図ることができ、設置スペースの省スペース化を図ることができる。
【００１９】
また、前記画像案内手段は、ハーフミラーで構成されてもよい。
【００２０】
かかる構成によれば、画像案内手段がハーフミラーで構成されていることから、安価に画像案内手段を得ることができる。
【００２１】
また、少なくとも一つのタッチパネルをさらに備え、前記画像表示手段から投影されるプリント注文操作画像が前記タッチパネルを介して表示される構成であってもよい。
【００２２】
かかる構成によれば、前記画像表示手段から投影されるプリント注文操作画像が前記タッチパネルを介して表示されることから、顧客は、該表示を見ながら指やタッチペン等でタッチパネルの該当箇所を押さえるだけでプリント注文操作を行えるようになるため、プリント注文するための操作が非常に行い易くなる。
【発明の効果】
【００２３】
以上より、本発明によれば、画像表示手段が一つしか備えられていなくとも、容易に一方の人が操作している画像表示手段のプリント注文操作画像（画面）を他方の人が同時に見ることができ、画像表示手段が二つ備えられているものより安価でコンパクトなプリント注文受付装置を提供することができるようになる。
【発明を実施するための最良の形態】
【００２４】
以下、本発明の一実施形態について、添付図面を参照しつつ説明する。
【００２５】
図１及び図２に示すように、プリント注文受付装置（以下、単に「受付装置」と言うことがある。）１は、上面が山型に形成されると共に該山型の上面を構成する斜面に内部を見ることができる目視部２，２が形成された筐体３と、正面側の目視部２に設けられた注文情報を入力するためのタッチパネル４と、筐体３の正面に設けられた各種メディアから撮影画像データを読み取るための撮影画像データ読み取り部５及び受付証等を発行するための受付証発行部６とを備える。
【００２６】
筐体３は、側面視五角形となるように上面が中央部で屈曲した山型に形成され、内部には後述するモニター（画像表示手段）７とハーフミラー（画像案内手段）８とが配設される内部空間Ｓが形成されている。また、筐体３には、図示しないが、後述する撮像データ読み取り部５で読み取った各種メディアからの撮影画像データを格納するためのデータ格納部、モニター７に読み込んだ撮影画像やプリント注文操作画像を表示及び処理するための表示制御部、タッチパネル４等から入力される注文情報と前記データ格納部に格納されている撮影画像データとの対応づけ等を行う情報処理演算部等を内蔵する。
【００２７】
目視部２，２は、筐体３の前記山型の上面を構成する斜面にそれぞれ設けられている。そして、目視部２は、内部空間Ｓ内が目視可能となるように前記斜面全体をほぼ占める大きさの矩形状の開口９が前記斜面に形成され、かかる開口９を板状の透明なガラスで塞ぐことによって形成されている。また、正面側（顧客（ユーザ）が使用する側）の目視部（ガラス）２の上面には透明なタッチパネル４が取り付けられている。
【００２８】
撮影画像データ読み取り部５は、スマートメディア（登録商標）ＳＭ、コンパクトフラッシュ（登録商標）ＣＦ、メモリスティック（登録商標）ＭＳ、メディアのアタッチメントとして機能するＰＣカードＰＣ−Ｃ、ＣＤ−Ｒ、ＭＯ等の各種メディア（記録媒体）に対応する複数のメディアドライブ５ａ，５ａ，５ａ，…で構成されている。
【００２９】
受付証発行部６は、顧客に対してプリント注文の受付証や引換証、領収書等を発行するためのもので、感熱式、インクジェット式等のプリンタ（印刷装置）で構成されている。
【００３０】
内部空間Ｓは、筐体３内に形成された内部空間であり、筐体３の山型の上面に沿うように構成された略直方体形状の空間である。詳細には、内部空間Ｓは、側面視正方形状で、その対角線がそれぞれ垂直又は水平方向となるように形成されている。
【００３１】
内部空間Ｓは、内部にモニター７とハーフミラー８とが配設され、モニター７から投影されるプリント注文操作画像（以下、単に「操作画像」と言う。）をハーフミラー８によって、二方向に振り分けて案内するための空間である。
【００３２】
モニター７は、例えば、図３に示すような、操作画像を表示するためのもので、液晶ディスプレイ（ＬＣＤ）によって構成されており、内部空間Ｓを構成する内周面のうち、正面側目視部２と対向する面に配設されている。即ち、正面側目視部２とモニター７の画面とが平行若しくは略平行となるように対向して配設されている。また、背面側目視部２とモニター７の画面とは側面視で９０°若しくは略９０°となるように配設されている。尚、モニター７は、ＬＣＤに限定される必要はなく、有機ＥＬディスプレイ等の薄型ディスプレイであればよい。
【００３３】
また、内部空間Ｓには、入射した光の一部は反射し、一部は透過するハーフミラー８が配設されている。該ハーフミラー８は、モニター７から投影される操作画像を二方向、即ち、正面側目視部２と背面側目視部２とに振り分けて案内する画像案内手段として用いられ、側面視正方形状の内部空間Ｓを垂直方向の対角線に沿って区切るように配設されている。
【００３４】
本実施形態に係る受付装置１は、以上の構成からなり、次に、受付装置１の使用状態について図１又は２に基づいて説明する。
【００３５】
受付装置１は、ＤＰＥ店等の店舗内で顧客自身が操作できるようにカウンター１００上に載置される（図４参照）。
【００３６】
プリント注文を行う顧客（ユーザ）は、カウンター１００上の受付装置１における撮影画像データ読み取り部５に設けられる複数のメディアドライブ５ａ，５ａ，…のうち、持参した撮影画像データが記録されているメディア（記録媒体）と対応するメディアドライブ５ａに該メディアを挿入（装填）する。そうすると、持参したメディアに記録されている撮影画像データの受付装置１による読み取りが開始される。それと同時に、プリント注文を行う為の操作画像（例えば、図３参照）がモニター７上に表示される。
【００３７】
顧客は、正面側目視部２（タッチパネル４）を介してモニター７の前記操作画像を見ることができる。かかる操作画像には、複数の撮影画像やボタン等が表示されており、顧客は、かかる操作画像の案内（指示）に従って前記操作画像上に表示されるボタン等と対応するタッチパネル４の該当部分を指やタッチペン等で押すことで、モニター７上に表示されている画像の切り換えやプリントサイズ、プリント数等の注文情報の入力作業を行うことができる。
【００３８】
操作画像の案内に従ってプリント注文情報の入力が完了すると注文（オーダー）が確定し、出力指示が出され、撮影画像と注文情報とが対応付けされて、例えばＤＰＥ店やラボ店等のサーバや画像処理装置１０１（図４参照）等に送られ、ここからデジタルのフォトプリンタに撮影画像が供給されて、注文情報に応じたプリントが作成、出力される。
【００３９】
プリント注文情報の入力が完了すると、受付証発行部６からは、受付証等がプリントアウトされる。かかる受付証には受付番号や料金等が印刷されており、顧客は、プリントアウトされた前記受付証を店員に提示して料金の支払いや注文したプリントとの引き換え等を行う。
【００４０】
このようにして、顧客は、自ら受付装置１を操作して持参したメディアに記録された画像データのプリント注文を行う。その際、例えば、高齢者といった一般に機械操作を苦手とする人が一人で受付装置１を操作してプリント注文を行う場合、操作画像の案内に従って受付装置１を操作しても、途中で操作方法が分からなくなることがある。その場合、顧客（高齢者）は、カウンター１００内の店員に説明を求めるが、本実施形態に係る受付装置１では、顧客（高齢者）が見ている画像と同じモニター７上の操作画像をリアルタイム（同時）に店員は、カウンター１００内から出ることなく見ることができ、的確にプリント注文のための操作の説明若しくは指示を顧客に対して行うことができる。
【００４１】
即ち、モニター７の画面から投影される操作画像は、内部空間Ｓ内に配設される入射した光の一部が反射すると共に一部が透過する特性を備えるハーフミラー８によって、モニター７の画面と対向する正面側の目視部２へ向かうものと、背面側の目視部２へ向かうものとに振り分けられる。詳細には、側面視正方形状の内部空間Ｓの対向する面に正面側目視部２とモニター７とが配設され、ハーフミラー８が前記正方形の垂直方向の対角線上に配設されていることから、ハーフミラー８とモニター７若しくは正面側目視部２とが約４５°となるような位置関係にそれぞれ配設されている。そして、モニター７から投影された操作画像は、一部がハーフミラー８を透過して正面側目視部２へ向かい、一部がハーフミラー８に反射されて背面側目視部２へ向かうように振り分けられる（図２の矢印参照）。このようにモニター７から投影される操作画像が振り分けられて案内されることで、二つの目視部２，２からそれぞれ同時に同一画面（モニター７の画面）上の同一画像（操作画像）を見ることができる。即ち、カウンター１００の外側で受付装置１を操作してい顧客（高齢者）とカウンター１００の内側で受付装置１の操作の説明若しくは指示を行おうとしている店員とが同時且つ容易に同一画像を見ることができる。
【００４２】
従って、店員は、カウンター１００の内側から身を乗り出して、カウンター１００の外側で受付装置１を操作している顧客が見ているのと同じ目視部２を見ながら説明等を行う必要が無くなり、若しくは、カウンター１００の外側に店員が出て顧客の側で説明等する必要が無くなる。また、一人で操作することを前提に設定されたサイズの目視部（又はモニター）を顧客と店員との二人で一緒に見る必要が無くなる。その結果、店員は、カウンター１００を出入りする必要もなくなり、狭い画面を一緒に見ながら説明等を行うといった煩雑さもなくなるため、店員の無駄な時間や労力を削減することができる。
【００４３】
また、受付装置１は、二人で同時に一のモニター７からの同一画像を見ることができるにもかかわらず、モニター７を二つ備える必要が無く、一つだけ備えていればよいことから、受付装置１の製作コストの省コスト化を図ることができるようになる。また、画像案内手段として、比較的安価なハーフミラー８を使用することで、より省コスト化を図ることができる。さらに、受付装置１は、モニター７を一つ備えるだけでよいことから、モニター７を二つ備えるものよりも装置全体の大きさをコンパクトにすることができると共に、設置スペースの省スペース化を図ることもできるようになる。
【００４４】
尚、本実施形態の場合、振り分けられた操作画像のうち、一方側（店員側）は、ハーフミラーで反射された画像をみるため左右反転した画像となるが、他方側（顧客側）がどのような画像を見ていて、どのボタンを押せばよいのか等の説明若しくは指示ができればよいことから、画像が左右反転していたとしても不都合はない。その際、操作画像を比較的単純な絵柄等で構成し、使用する文字数を少なくすることで、左右反転したとしてもより不都合は少なくなる。また、上下反転した画像であっても、前記同様の理由から、不都合は少なくなる。
【００４５】
また、本発明のプリント注文受付装置は、上記実施形態に限定されるものではなく、本発明の要旨を逸脱しない範囲内において種々変更を加え得ることは勿論である。
【００４６】
例えば、本実施形態においては、画像表示手段（モニター）から投影される操作画像を振り分けて案内する画像案内手段は、ハーフミラー８で構成されているが、これに限定される必要はなく、例えば、図５に示すように、入射した光が全て反射される通常のミラー（反射鏡）で構成されていてもよい。ミラーは、図５（イ）に示すように、中央で屈曲するような形状のミラーＭであっても良く、図５（ロ）に示すように、二つのミラーＭ’，Ｍ’が側面視互いに直交するような配置としてもよい。このような構成であっても、一つの画像表示手段（モニター）７から投影される画像が二方向に振り分けられ（図５（イ）中の矢印α及び図５（ロ）中の矢印βを参照）、一方の人が見ている画像表示手段の操作画像（画面）を他方の人も容易且つ同時に見ることができる。
【００４７】
本実施形態においては、タッチパネル４は、顧客側（一方側）にしか設けられていないが、図５（イ）に示すように、両方の目視部２，２にそれぞれ設けられてもよい。このようにすることで、顧客に代わって店員がタッチパネル４を用いてプリント注文操作若しくは該注文操作の訂正を行うことができるようになる。
【００４８】
また、図５（ロ）に示す受付装置の場合、図６に示すように、モニター７’に二つの同じ画像が中央で一方が上下逆方向となるように回転させた状態で表示されるように制御することで、一方側（顧客側）と他方側（店員側）とが共に反転することなく同じ画像を同時に見ることができるようになる。
【００４９】
また、図７に示すように、モニター７”の一方面からは通常の画像が表示され、他方の面からは一方の面に表示される画像を裏から見た画像が表示（即ち、左右が反転して表示）されるようなモニターを用い、画像案内手段として、図５（イ）と同様の中央で屈曲したミラーＭを使用してもよい。このようなモニター７”を用いることで、他方側（店員側）の画像は、図５（イ）の装置のように上下左右が反転するのではなく、左右のみが反転した画像となり、他方側から画像が見やすくなる。
【図面の簡単な説明】
【００５０】
【図１】本実施形態に係るプリント注文受付装置の概略斜視図を示す。
【図２】同実施形態に係るプリント注文受付装置の概略縦断面図を示す。
【図３】同実施形態に係るプリント注文受付装置のモニター画面におけるプリント注文操作画像の一例を示す。
【図４】同実施形態に係るプリント注文受付装置の使用状態図を示す。
【図５】他実施形態に係るプリント注文受付装置であって、（イ）は、画像案内手段として中央を屈曲させたミラーを用いた受付装置の概略構成図を示し、（ロ）は、画像案内手段として二つのミラーを交差するように配置した受付装置の概略構成図を示す。
【図６】他実施形態に係るプリント注文受付装置のモニター画面におけるプリント注文操作画像の一例を示す。
【図７】両面から画像が見えるモニターを用いたプリント注文受付装置の概略構成図を示す。
【図８】従来のプリント注文受付装置の使用状態図を示す。
【符号の説明】
【００５１】
１…プリント注文受付装置、２…目視部、３…筐体、４…タッチパネル、５…撮影画像データ読み取り部、５ａ…メディアドライブ、６…受付証発行部、７，７’，７”…モニター（画像表示手段）、８…ハーフミラー（画像案内手段）、９…開口、Ｍ，Ｍ’…ミラー（反射鏡（画像案内手段））、Ｓ…内部空間
【図１】
2008051878.tif 000003
【図２】
2008051878.tif 000004
【図３】
2008051878.tif 000005
【図４】
2008051878.tif 000006
【図５】
2008051878.tif 000007
【図６】
2008051878.tif 000008
【図７】
2008051878.tif 000009
【図８】
2008051878.tif 000010